(57)【要約】ガスケット押圧具３は、外筒２０に装着されるシリンジ装着部材４、シリンジのガスケット２２を押圧するガスケット押圧部材８、ガスケット押圧部材内に収納された押圧部材付勢体１１、押圧部材付勢体の後端部を収納し、側部に開口部６４，６５を有する付勢体押圧用筒状部材６、筒状部材６に保持され、筒状部材６の開口部６４，６５より進入する係合用突起７２を有する押圧部材８の移動規制部材７ａ，７ｂを備える。押圧具３は、移動規制部材の係合用突起７２と押圧部材８の押圧部材側係合部８３との係合状態保持機能と、両者の係合解除のための係合用突起７２の操作機能を備えている。
2019188853.tif 000002
【特許請求の範囲】
【請求項１】
後端部にフランジを有する外筒と、前記外筒内に摺動可能に収納されたガスケットとを有するシリンジの前記ガスケットを先端方向に移動させるためのガスケット押圧具であって、
前記ガスケット押圧具は、前記ガスケットを先端方向へ押圧可能なガスケット押圧部材と、前記外筒の前記フランジに装着されるシリンジ装着部材と、
先端部が前記ガスケット押圧部材内に収納され、後端部が前記ガスケット押圧部材より突出した押圧部材付勢体と、
前記押圧部材付勢体の前記後端部を収納し、先端部に設けられ、前記シリンジ装着部材に収納されるフランジ部と、前記フランジ部より後方の側部に設けられた開口部とを有する付勢体押圧用筒状部材と、
前記付勢体押圧用筒状部材または／および前記シリンジ装着部材に保持され、前記開口部より前記付勢体押圧用筒状部材内に進入する係合用突起を有し、前記ガスケット押圧部材の移動を規制する移動規制部材とを備え、
前記ガスケット押圧部材は、前記移動規制部材の前記係合用突起と係合可能な押圧部材側係合部を軸方向に複数備えており、さらに、
前記ガスケット押圧具は、前記移動規制部材の前記係合用突起と前記ガスケット押圧部材の前記押圧部材側係合部との係合状態を保持する係合状態保持機能と、前記係合用突起を移動させ、前記係合用突起と前記押圧部材側係合部との係合を解除させる係合用突起操作機能とを備えていることを特徴とするガスケット押圧具。
【請求項２】
前記移動規制部材は、先端部が前記付勢体押圧用筒状部材により保持され、前記先端部より後方に延び、かつ弾性変形可能な規制部材本体部と、前記本体部より前記ガスケット押圧部材方向に延びる前記係合用突起とを備え、前記規制部材本体部が、前記係合用突起を前記ガスケット押圧部材の前記押圧部材側係合部方向に押圧することにより、前記係合状態保持機能が形成されている請求項１に記載のガスケット押圧具。
【請求項３】
前記ガスケット押圧具は、前記付勢体押圧用筒状部材の後端部に、軸方向に移動可能に装着された筒状の操作部材と、前記操作部材内に収納され、先端が前記付勢体押圧用筒状部材の後端面に当接し、前記操作部材を後方に付勢する操作部材付勢体とを備え、前記操作部材は、先端側への移動時に、前記移動規制部材に当接し押し上げ、前記係合用突起と前記押圧部材側係合部との係合を解除するための係合解除用突出部を備えることにより、前記ガスケット押圧具は、前記係合用突起操作機能を有するものとなっている請求項１または２に記載のガスケット押圧具。
【請求項４】
前記付勢体押圧用筒状部材の前記開口部および前記移動規制部材の前記係合用突起は、それぞれ向かい合うように２つ設けられている請求項１に記載のガスケット押圧具。
【請求項５】
前記付勢体押圧用筒状部材の前記開口部、前記移動規制部材の前記係合用突起および前記操作部材の前記係合解除用突出部は、それぞれ向かい合うように２つ設けられている請求項３に記載のガスケット押圧具。
【請求項６】
前記移動規制部材は、前記付勢体押圧用筒状部材または／および前記シリンジ装着部材により保持された先端部と、前記先端部より後方に位置し、一端部に設けられた前記係合用突起と、操作用押圧部と、前記係合用突起と前記操作用押圧部とを連結するフレームとを有する操作部を備え、前記ガスケット押圧具は、前記移動規制部材の前記操作用押圧部と前記付勢体押圧用筒状部材間に配置され、前記操作用押圧部を外方に付勢する押圧部付勢体とを備えることにより、前記ガスケット押圧具は、前記係合状態保持機能を有するものとなっている請求項１に記載のガスケット押圧具。
【請求項７】
前記ガスケット押圧具は、前記操作部の前記操作用押圧部の押圧時に、前記フレームと連動して前記係合用突起が外側方向に移動することにより、前記係合用突起と前記移動規制部材の前記押圧部材側係合部との係合が解除され、かつ、前記操作用押圧部の押圧解除により、前記押圧部付勢体により前記操作用押圧部が押し戻されることにより、前記フレームと連動し前記係合用突起が内側方向に移動し、前記係合用突起と前記押圧部材側係合部とが、再び係合するものとなっている請求項６に記載のガスケット押圧具。
【請求項８】
前記付勢体押圧用筒状部材の前記開口部、前記操作部および前記押圧部付勢体は、それぞれ向かい合うように２つ設けられている請求項６または７に記載のガスケット押圧具。
【請求項９】
前記付勢体押圧用筒状部材は、前記押圧部付勢体の一端部を収納する収納部を備えている請求項６ないし８のいずれかに記載のガスケット押圧具。
【請求項１０】
前記ガスケット押圧部材は、軸方向に隣り合う前記押圧部材側係合部間に、前記係合用突起が外面側より進入可能な空隙を備えている請求項１ないし９のいずれかに記載のガスケット押圧具。
【請求項１１】
前記移動規制部材は、前記付勢体押圧用筒状部材を部分的に被包する筒状部と、前記筒状部の内面に前記係合用突起を有し、前記ガスケット押圧具は、前記付勢体押圧用筒状部材と前記移動規制部材間に配置され、かつ、一端部が前記付勢体押圧用筒状部材に固定され、他端部が前記移動規制部材に固定され、前記係合用突起と前記ガスケット押圧部材の前記押圧部材側係合部との係合状態を維持する環状付勢体とを備えることにより、前記ガスケット押圧部材は、前記係合状態保持機能を有するものとなっている請求項１に記載のガスケット押圧具。
【請求項１２】
前記ガスケット押圧具は、前記移動規制部材を前記付勢体押圧用筒状部材に対して、所定角度回転させたとき、前記係合用突起と前記押圧部材側係合部との係合が解除され、かつ、前記移動規制部材の回転操作解除により、前記環状付勢体により前記移動規制部材が逆回転し、前記係合用突起と前記押圧部材側係合部とが、再び係合するものとなっている請求項１１に記載のガスケット押圧具。
【請求項１３】
前記移動規制部材は、隣り合う前記押圧部材側係合部間に、前記係合用突起が周方向より進入可能な空隙を備えている請求項１１または１２に記載のガスケット押圧具。
【請求項１４】
前記係合用突起は、前記移動規制部材の回転操作により、隣り合う前記押圧部材側係合部間から周方向に離脱するものとなっている請求項１１ないし１３のいずれかに記載のガスケット押圧具。
【請求項１５】
前記移動規制部材は、前記付勢体押圧用筒状部材を部分的に被包する筒状部と、前記筒状部の内面に前記係合用突起を有し、前記ガスケット押圧具は、前記付勢体押圧用筒状部材と前記移動規制部材間に配置され、かつ、一端部が前記付勢体押圧用筒状部材に固定され、他端部が前記移動規制部材に固定され、前記係合用突起と前記ガスケット押圧部材の前記押圧部材側係合部との係合状態を維持する環状付勢体とを備えることにより、前記係合状態保持機能を有するものとなっており、さらに、
前記ガスケット押圧具は、前記付勢体押圧用筒状部材の後端部に、軸方向に移動可能に装着された筒状の操作部材を備え、前記操作部材は、先端側への押込操作時に、前記移動規制部材に当接し、前記移動規制部材を回転させるための回動用突出部と、前記操作部材内に収納され、先端が前記付勢体押圧用筒状部材の後端面に当接し、前記操作部材を後方に付勢する操作部材付勢体を備えている請求項１に記載のガスケット押圧具。
【請求項１６】
前記ガスケット押圧具は、前記操作部材の押込により、前記移動規制部材が回転したとき、前記移動規制部材の前記係合用突起と前記押圧部材側係合部との係合が解除され、前記操作部材の押込の解除により、前記環状付勢体により前記移動規制部材が逆回転し、前記移動規制部材の前記係合用突起と前記押圧部材側係合部が、再び係合するものとなっている請求項１５に記載のガスケット押圧具。
【請求項１７】
前記移動規制部材は、前記移動規制部材の外面に設けられ、前記係合用突起と前記押圧部材側係合部との係合が解除する回転方向かつ斜めに形成された被包部材側傾斜部を備え、前記回動用突出部は、押込操作時に、前記被包部材側傾斜部と摺接し、前記移動規制部材を回転させるための操作部材側傾斜部を備えている請求項１５または１６に記載のガスケット押圧具。
【請求項１８】
前記被包部材側傾斜部および前記操作部材側傾斜部は、それぞれ向かい合うように２つ設けられている請求項１７に記載のガスケット押圧具。
【請求項１９】
前記係合用突起は、前記操作部材の押込および前記移動規制部材の回転により、隣り合う前記押圧部材側係合部間から周方向に離脱するものとなっている請求項１５ないし１８のいずれかに記載のガスケット押圧具。
【請求項２０】
前記ガスケット押圧部材は、隣り合う前記押圧部材側係合部間に、前記係合用突起が周方向より進入可能な空隙を備えている請求項１５ないし１９のいずれかに記載のガスケット押圧具。
【請求項２１】
前記付勢体押圧用筒状部材は、後端内面より先端方向に突出し、前記押圧部材付勢体内に進入した棒状部を備えている請求項１ないし２０のいずれかに記載のガスケット押圧具。
【請求項２２】
後端部にフランジを有する外筒と、前記外筒内に摺動可能に収納されたガスケットとを有するシリンジと、請求項１ないし２１のいずれかに記載のガスケット押圧具とからなることを特徴とする薬液投与具。
【請求項２３】
前記シリンジは、前記外筒内に充填された薬液と、外筒の先端封止部材とを備えるプレフィルドシリンジであり、前記薬液投与具は、前記プレフィルドシリンジに前記ガスケット押圧具が装着された状態となっている請求項２２に記載の薬液投与具。
【発明の詳細な説明】
【技術分野】
【０００１】
本発明は、シリンジのガスケットを先端方向へ付勢して、ガスケットを先端方向に移動させるためのガスケット押圧具およびそれを用いた薬液投与具に関する。
【背景技術】
【０００２】
従来より、予め薬液等の液体が充填されたプレフィルドシリンジが知られている。プレフィルドシリンジは、薬液を収容した外筒と、外筒の吐出口に設けられた注射針と、外筒内を摺動可能なガスケットと、ガスケットを先端方向へ押圧するためのプランジャーとを備えている。【０００３】
プレフィルドシリンジでは、粘性のある薬液が収納されている場合があり、注入抵抗が高く、自己投与のみならず、医療従事者による投与操作も容易ではない場合がある。【０００４】
例えば、国際公開公報ＷＯ２０１５／１６０６００（特許文献１）には、バネの力を利用して投与補助を行うインジェクターが開示されている。【０００５】
このインジェクターは、遠位端および近位端を有するコネクタと、投薬注射の前に前記コネクタ内にロックされたピストンロッドと、ピストンロッドを遠位に付勢するように構成されたスプリングと、解放可能な拘束手段の解放時に、ピストンロッドがスプリングの力で遠位に移動する解放可能な拘束手段と、解放可能な拘束手段の解放時に、解放可能な拘束手段を解放するように構成された起動手段と、コネクタの遠位端に注射器を取り付けるための取り付け手段とを備えている。
【先行技術文献】
【特許文献】
【０００６】
【特許文献１】ＷＯ２０１５／１６０６００（ＵＳ２０１７−０８０１５９Ａ１）
【発明の概要】
【発明が解決しようとする課題】
【０００７】
プレフィルドシリンジによる薬液投与は、充填されている薬剤の全量投与が一般的ではある。しかし、患者の状態などにより、プレフィルドシリンジによる薬剤投与の途中での中断、投与中止、複数回に分けた投与が必要となる場合がある。【０００８】
しかし、特許文献１のものでは、投与操作を開始すると、内部薬液が、すべて排出されるまで、投与操作が継続する。投与操作を途中解除できない。【０００９】
本発明の目的は、薬液の排出操作もしくはその補助を行うことができ、かつ、薬液の排出操作の中断も容易であり、任意の量の薬液投与を可能とするガスケット押圧具およびそれを用いた薬液投与具を提供するものである。
【課題を解決するための手段】
【００１０】
上記目的を達成するものは、以下のものである。
後端部にフランジを有する外筒と、前記外筒内に摺動可能に収納されたガスケットとを有するシリンジの前記ガスケットを先端方向に移動させるためのガスケット押圧具であって、
前記ガスケット押圧具は、前記ガスケットを先端方向へ押圧可能なガスケット押圧部材と、前記外筒の前記フランジに装着されるシリンジ装着部材と、
先端部が前記ガスケット押圧部材内に収納され、後端部が前記ガスケット押圧部材より突出した押圧部材付勢体と、
前記押圧部材付勢体の前記後端部を収納し、先端部に設けられ、前記シリンジ装着部材に収納されるフランジ部と、前記フランジ部より後方の側部に設けられた開口部とを有する付勢体押圧用筒状部材と、
前記付勢体押圧用筒状部材または／および前記シリンジ装着部材に保持され、前記開口部より前記付勢体押圧用筒状部材内に進入する係合用突起を有し、前記ガスケット押圧部材の移動を規制する移動規制部材とを備え、
前記ガスケット押圧部材は、前記移動規制部材の前記係合用突起と係合可能な押圧部材側係合部を軸方向に複数備えており、さらに、
前記ガスケット押圧具は、前記移動規制部材の前記係合用突起と前記ガスケット押圧部材の前記押圧部材側係合部との係合状態を保持する係合状態保持機能と、前記係合用突起を移動させ、前記係合用突起と前記押圧部材側係合部との係合を解除させる係合用突起操作機能とを備えているガスケット押圧具。【００１１】
また、上記目的を達成するものは、以下のものである。
後端部にフランジを有する外筒と、前記外筒内に摺動可能に収納されたガスケットとを有するシリンジと、上記に記載のガスケット押圧具とからなる薬液投与具。
【図面の簡単な説明】
【００１２】
【図１】図１は、本発明の実施例のガスケット押圧具を備えた薬液投与具の正面図である。
【図２】図２は、図１に示した薬液投与具の底面図である。
【図３】図３は、図１に示した薬液投与具の右側面図である。
【図４】図４は、図１に示したＡ−Ａ線断面図である。
【図５】図５は、図１に示した薬液投与具の斜め上方からみた斜視図である。
【図６】図６は、図４に示した薬液投与具の移動規制部材付近の拡大図である。
【図７】図７は、図１に示した薬液投与具に使用される構成部材の説明図である。
【図８】図８は、図１に示した薬液投与具に使用される構成部材の説明図である。
【図９】図９は、図１に示した薬液投与具に使用される構成部材の説明図である。
【図１０】図１０は、図１に示した薬液投与具に使用される移動規制部材の正面図である。
【図１１】図１１は、図１０に示した移動規制部材の左側面図である。
【図１２】図１２は、図１に示した薬液投与具に使用されるガスケット押圧具の構成部材の説明図である。
【図１３】図１３は、図１に示した薬液投与具の作用を説明するための説明図である。
【図１４】図１４は、図１に示した薬液投与具の作用を説明するための説明図である。
【図１５】図１５は、本発明の薬液投与具に使用される一例のプレフィルドシリンジの縦断面図である。
【図１６】図１６は、本発明の他の実施例のガスケット押圧具を備えた薬液投与具の正面図である。
【図１７】図１７は、図１６に示した薬液投与具の底面図である。
【図１８】図１８は、図１６に示した薬液投与具の左側面図である。
【図１９】図１９は、図１６に示した薬液投与具の右側面図である。
【図２０】図２０は、図１６のＣ−Ｃ線断面図である。
【図２１】図２１は、図１６のＢ−Ｂ線断面図である。
【図２２】図２２は、図１６に示した薬液投与具の斜め上方からみた斜視図である。
【図２３】図２３は、図２１に示した薬液投与具の移動規制部材付近の拡大図である。
【図２４】図２４は、図１６に示した薬液投与具に使用される構成部材の説明図である。
【図２５】図２５は、図１６に示した薬液投与具に使用される構成部材の説明図である。
【図２６】図２６は、図１６に示した薬液投与具に使用されるガスケット押圧具の構成部材の説明図である。
【図２７】図２７は、図１６に示した薬液投与具に使用される移動規制部材の底面図である。
【図２８】図２８は、図２７に示した移動規制部材の右側面図である。
【図２９】図２９は、図１６に示した薬液投与具の作用を説明するための説明図である。
【図３０】図３０は、図１６に示した薬液投与具の作用を説明するための説明図である。
【図３１】図３１は、本発明の他の実施例のガスケット押圧具を備えた薬液投与具の正面図である。
【図３２】図３２は、図３１に示した薬液投与具の底面図である。
【図３３】図３３は、図３１に示した薬液投与具の右側面図である。
【図３４】図３４は、図３１のＤ−Ｄ線断面図である。
【図３５】図３５は、図３１に示した薬液投与具の斜め上方からみた斜視図である。
【図３６】図３６は、図３１に示した薬液投与具の内部構造を説明するための説明図である。
【図３７】図３７は、図３６に示した薬液投与具の移動規制部材付近の拡大図である。
【図３８】図３８は、図３１に示した薬液投与具の作用を説明するための説明図である。
【図３９】図３９は、図３１に示した薬液投与具に使用される構成部材の説明図である。
【図４０】図４０は、図３１に示した薬液投与具に使用される構成部材の説明図である。
【図４１】図４１は、図３１に示した薬液投与具に使用されるガスケット押圧具の構成部材の説明図である。
【図４２】図４２は、本発明の他の実施例のガスケット押圧具を備えた薬液投与具の正面図である。
【図４３】図４３は、図４２に示した薬液投与具の底面図である。
【図４４】図４４は、図４２に示した薬液投与具の右側面図である。
【図４５】図４５は、図４２に示した薬液投与具の左側面図である。
【図４６】図４６は、図４２のＥ−Ｅ線断面図である。
【図４７】図４７は、図４２に示した薬液投与具の斜め上方からみた斜視図である。
【図４８】図４８は、図４２に示した薬液投与具の内部構造を説明するための説明図である。
【図４９】図４９は、図４８に示した薬液投与具の移動規制部材付近の拡大図である。
【図５０】図５０は、図４２に示した薬液投与具の作用を説明するための説明図である。
【図５１】図５１は、図４２に示した薬液投与具の作用を説明するための説明図である。
【図５２】図５２は、図５１に示した薬液投与具の移動規制部材付近の拡大図である。
【図５３】図５３は、図４２に示した薬液投与具に使用される構成部材の説明図である。
【図５４】図５４は、図４２に示した薬液投与具に使用される構成部材の説明図である。
【図５５】図５５は、図４２に示した薬液投与具に使用されるガスケット押圧具の構成部材の説明図である。
【発明を実施するための形態】
【００１３】
本発明の薬液投与具およびガスケット押圧具を図面に示した実施例を用いて、説明する。
本発明の薬液投与具１は、後端部にフランジ２３を有する外筒２０と、外筒２０内に摺動可能に収納されたガスケット２２とを有するシリンジ２と、本発明のガスケット押圧具３とを備える。シリンジ２としては、プレフィルドシリンジ２ａを用いることができる。また、薬液投与具１としては、プレフィルドシリンジ２ａにガスケット押圧具３が装着された状態となっているものであってもよい。
プレフィルドシリンジ２ａとしては、図１５に示すように、筒状部とその後端部にフランジ２３を有する外筒２０と、外筒２０内に摺動可能に収納されたガスケット２２と、外筒２０内に充填された薬液２６と、外筒２０の先端封止部材２５とを備えるものが使用できる。図示するものでは、外筒２０は、ノズル部２１と、ノズル部２１を被包するカラー部２４を備えている。
【００１４】
本発明のガスケット押圧具３は、後端部にフランジ２３を有する外筒２０と、外筒２０内に摺動可能に収納されたガスケット２２とを有するシリンジ２のガスケット２２を先端方向へ付勢して、ガスケット２２を先端方向に移動させるためのものである。
本発明のガスケット押圧具３は、外筒２０のフランジ２３に装着されるシリンジ装着部材４と、ガスケット２２を先端方向へ押圧可能な筒状のガスケット押圧部材８と、先端部がガスケット押圧部材８内に収納され、後端部がガスケット押圧部材８より突出した押圧部材付勢体１１と、押圧部材付勢体１１の後端部を収納し、先端部にシリンジ装着部材４に収納されるフランジ部６０と、フランジ部６０より後方の側部に設けられた開口部６４，６５を有する付勢体押圧用筒状部材６と、付勢体押圧用筒状部材６または／およびシリンジ装着部材４に、先端側にて保持され、開口部６４，６５より付勢体押圧用筒状部材６内に進入する係合用突起７２を有し、ガスケット押圧部材８の移動を規制する移動規制部材７ａ，７ｂとを備える。
【００１５】
ガスケット押圧部材８は、移動規制部材７ａ，７ｂの係合用突起７２と係合可能な押圧部材側係合部８３を軸方向に複数備えている。さらに、ガスケット押圧具３は、移動規制部材７ａ，７ｂの係合用突起７２とガスケット押圧部材８の押圧部材側係合部８３との係合状態を保持する係合状態保持機能と、係合用突起７２を移動させ、係合用突起７２と押圧部材側係合部８３との係合を解除させる係合用突起７２の操作機能とを備えている。
【００１６】
最初に、図１ないし図１４に示す実施例のガスケット押圧具３について説明する。
この実施例のガスケット押圧具３は、図１ないし図６に示すように、後述する操作部材５を押し込むことより、言い換えれば、縦押しすることにより、係合用突起７２と押圧部材側係合部８３との係合が解除する操作機能を備えている。このため、移動規制部材７ａ，７ｂは、先端部が付勢体押圧用筒状部材６により保持され、先端部より後方に延び、かつ弾性変形可能な規制部材本体部７１と、規制部材本体部７１よりガスケット押圧部材８方向（言い換えれば、内面よりガスケット押圧具３の中心方向）に延びる係合用突起７２とを備える。図４および図６に示すように、規制部材本体部７１が、係合用突起７２をガスケット押圧部材８の押圧部材側係合部８３方向に押圧しており、非操作状態において、移動規制部材７ａ，７ｂの係合用突起７２とガスケット押圧部材８の押圧部材側係合部８３が係合した状態が維持され、これにより係合状態保持機能が形成されている。
【００１７】
また、図４および図６、図１３および図１４に示すように、この実施例のガスケット押圧具３は、ガスケット押圧具３の係合用突起操作機能として、付勢体押圧用筒状部材６の後端部に軸方向に移動可能に装着された筒状の操作部材５を備える。図１３および図１４に示すように、操作部材５は、先端側への移動時に、移動規制部材７ａ，７ｂの規制部材本体部７１に当接し、規制部材本体部７１を外方に押し上げ、係合用突起７２と押圧部材側係合部８３との係合を解除するための係合解除用突出部５２，５３と、操作部材５内に収納され、先端が付勢体押圧用筒状部材６の後端面に当接し、操作部材５を後方に付勢する操作部材付勢体１２を備えている。これらにより、係合用突起７２を移動させ、係合用突起７２と押圧部材側係合部８３との係合を解除させる係合用突起７２の操作機能が構成されている。
【００１８】
この実施例のガスケット押圧具３は、図１ないし図１４、特に、図７ないし図９および図１２に示すように、シリンジ装着部材４、筒状のガスケット押圧部材８、ガスケット押圧部材８内に先端側部分が収納された押圧部材付勢体１１と、押圧部材付勢体１１を後端側から押圧するための付勢体押圧用筒状部材６と、付勢体押圧用筒状部材６に装着される２つの移動規制部材７ａ，７ｂと、操作部材５と、操作部材５を後方に付勢する操作部材付勢体１２とを備えている。
【００１９】
シリンジ装着部材４は、図１、図４ないし図９および図１２に示すように、本体部４１と、本体部４１の上面から下方に向かって延びる円弧状凹部により形成された収納部４２を備える。収納部４２は、外筒２０のフランジ２３と、付勢体押圧用筒状部材６のフランジ部６０を同時に収納可能となっており、両者を収納することにより、ガスケット押圧具３は、シリンジ２（外筒２０）に装着（連結）される。シリンジ装着部材４は、言い換えれば、シリンジ連結部材である。
【００２０】
ガスケット押圧部材８は、図４、図６ないし図９および図１２に示すように、筒状本体部８１を有する筒状体となっている。先端部には、収納する押圧部材付勢体１１の先端が当接可能（係合可能）な先端内面部を備え、先端部の外面には、ガスケットへの装着部８２を備えている。また、筒状本体部８１の外面には、係合用の押圧部材側係合部８３が、ガスケット押圧部材８（筒状本体部８１）の軸方向に複数、等間隔にて設けられている。
【００２１】
この実施例では、押圧部材側係合部８３は、ガスケット押圧部材８の外面に形成された複数のリブにより構成されている。なお、押圧部材側係合部８３としては、係合用突起７２の後面と当接可能（係合可能）な前面を備えるものであればよく、例えば、ガスケット押圧部材８（筒状本体部８１）の外面に複数の溝部を設け、溝部の前面が、係合用突起７２の後面と当接可能（係合可能）なものであってもよい。
また、この実施例では、複数の押圧部材側係合部８３を有する突起部保有部を備えており、さらに、この実施例では、複数の押圧部材側係合部８３を有する突起部保有部は、向かい合うように、２つ形成されている。ガスケット押圧部材８は、先端部（具体的には、筒状本体部８１の先端面もしくはガスケット装着部８２）にて、ガスケット２２の後端部と当接可能であり、ガスケット２２を押圧可能なものとなっている。
【００２２】
また、ガスケット押圧部材８は、複数の隣り合う押圧部材側係合部８３を有するとともに、軸方向に隣り合う押圧部材側係合部８３間に、係合用突起７２が外面側より進入可能な空隙を備えている。
【００２３】
押圧部材付勢体１１としては、図４、図７ないし図９に示すように、圧縮可能なコイルスプリングが好適に用いられる。なお、押圧部材付勢体１１としては、圧縮可能なチューブ状の弾性体であってもよい。押圧部材付勢体１１は、ガスケット押圧部材８の筒状本体部８１の内腔長よりも長いものとなっており、先端側がガスケット押圧部材８内に収納され、先端面が筒状本体部８１の先端内面部に当接した図４、図７ないし図９に示す状態において、後端部が、ガスケット押圧部材８の後端より、突出するものとなっている。
【００２４】
付勢体押圧用筒状部材６は、図４に示すように、押圧部材付勢体１１を後端側から押圧するための部材である。付勢体押圧用筒状部材６は、図４、図７ないし図９および図１２に示すように、筒状本体部６１と、本体部６１の先端部に設けられたフランジ部６０と、フランジ部６０より後方の側部に設けられた後述する移動規制部材７ａ，７ｂの係合用突起７２の進入用の開口部６４，６５と、開口部６４，６５とフランジ部６０間に設けられた移動規制部材７ａ，７ｂの装着部６２，６３と、後端内面（底面部６６）より先端方向に突出し、押圧部材付勢体１１内に進入可能な棒状部６７と、開口部６４，６５より後方に位置し、軸方向後方に延びる２つの軸方向凹部６８を備える。
【００２５】
さらに、付勢体押圧用筒状部材６は、各軸方向凹部６８の後端より周方向に延びる周方向溝部と、周方向溝部の終端より軸方向に延びる軸方向溝部とを備える誘導用溝部６９を備えている。また、付勢体押圧用筒状部材６の移動規制部材７ａ，７ｂの装着部６２，６３が形成されている部分は、膨出部となっている。筒状本体部６１は、押圧部材付勢体１１の後端部を収納可能なものとなっており、棒状部６７は、押圧部材付勢体１１内に進入しており、押圧部材付勢体１１内の圧縮時（押圧時）における押圧部材付勢体１１の湾曲変形を規制している。
【００２６】
移動規制部材７ａ，７ｂは、図４ないし図１４に示すように、弾性変形可能な規制部材本体部７１と、本体部７１よりガスケット押圧部材８方向（言い換えれば、内面よりガスケット押圧具３の中心方向）延びる係合用突起７２と、先端部７３に設けられた付勢体押圧用筒状部材６への装着部７４を備えている。この実施例の移動規制部材７ａ，７ｂでは、規制部材本体部７１は、先端部７３の後端部分に易弾性変形部を備えている。このため、移動規制部材７ａ，７ｂは、規制部材本体部７１の先端部７３の後端を支点として、上下に可動可能となっている。
【００２７】
この実施例では、移動規制部材７ａ，７ｂは、向かい合うように、２つ設けられている。また、装着部７４は、図１０および図１１に示すように、先端部７３の下面より突出する２本の脚部７４ａ，７４ｂにより形成されており、脚部７４ａ，７４ｂは、先端傾斜面と、先端傾斜面の後端部に形成された脱け止め部を備えている。
【００２８】
そして、移動規制部材７ａ，７ｂは、装着部７４を付勢体押圧用筒状部材６の装着用開口部６４，６５に挿入すること、具体的には、２本の脚部７４ａ，７４ｂを先端傾斜面側から挿入し、脱け止め部を装着用開口部６４，６５を通過させることにより装着される。装着部７４の脱け止め部は、装着用開口部６４，６５付近の付勢体押圧用筒状部材６の内面と係合することにより、移動規制部材７ａ，７ｂは、規制部材本体部７１が上方に押し上げられても、付勢体押圧用筒状部材６より、容易に離脱しないものとなっている。
【００２９】
操作部材５は、図４、図５、図７ないし図１３に示すように、筒状本体部５１と、本体部５１の先端部の外面に設けられた係合解除用突出部５２，５３と、軸方向に延びる窓部５４と、係合解除用突出部５２，５３の内側となる筒状本体部５１の先端部内面に設けられたスライド用突起５６，５７を備えている。操作部材５の係合解除用突出部５２，５３は、規制部材本体部７１の下面に当接するために中心軸方向かつ先端方向に傾斜した傾斜面を備えている。
【００３０】
スライド用突起５６，５７は、付勢体押圧用筒状部材６の軸方向凹部６８内に進入し、操作部材５を付勢体押圧用筒状部材６の軸方向にスライド可能なものとするとともに、操作部材５の係合解除用突出部５２，５３を規制部材本体部７１の下面（内面）に誘導する。スライド用突起５６，５７は、付勢体押圧用筒状部材６の誘導用溝部６９の軸方向溝部の後端より挿入し、周方向溝部に到達後、操作部材５を回転させることにより、軸方向凹部６８内に進入させることができるものとなっている。また、誘導用溝部６９の周方向溝部には、脱け止めリブが設けられている。
【００３１】
そして、図４、図５、図７ないし図１３に示すように、操作部材５内（筒状本体部５１内）には、操作部材付勢体１２が収納されている。操作部材付勢体１２としては、圧縮可能なコイルスプリングが好適に用いられる。なお、操作部材付勢体１２は、圧縮可能なチューブ状の弾性体であってもよい。図４および図１３に示すように、操作部材付勢体１２は、先端が付勢体押圧用筒状部材６の後端外面に当接し、後端が操作部材５の後端内面に当接し、両者により押圧可能（圧縮可能）なものとなっている。そして、圧縮された操作部材付勢体１２は、操作部材５を後方に押圧（付勢）する。
【００３２】
この実施例のガスケット押圧具３は、付勢体押圧用筒状部材６の開口部６４，６５、移動規制部材７ａ，７ｂの係合用突起７２および操作部材５の係合解除用突出部５２，５３は、それぞれ向かい合うように２つ設けられている。
そして、この実施例のガスケット押圧具３では、図４および図６に示す状態では、押圧部材付勢体１１は、ガスケット押圧部材８の先端内面と付勢体押圧用筒状部材６の後端内面間により圧縮されており、ガスケット押圧部材８を先端方向に付勢している。
【００３３】
また、この実施例のガスケット押圧具３では、図４および図６に示すように、移動規制部材７ａ，７ｂは、外方に押し上げ可能に、付勢体押圧用筒状部材６に装着されており、付勢体押圧用筒状部材６の開口部６４，６５を貫通した係合用突起７２は、ガスケット押圧部材８の外面に押しつけられた状態、言い換えれば、係合用突起７２が、ガスケット押圧部材８の外面を押圧する状態となっている。
【００３４】
このため、この実施例のガスケット押圧具３では、移動規制部材７ａ，７ｂの係合用突起７２は、ガスケット押圧部材８の押圧部材側係合部８３との係合状態が保持されるものとなっている。また、図４ないし図６に示す状態（通常状態、図１および図２に示す状態）では、係合用突起７２は、２つの押圧部材側係合部８３間に進入し、かつ、係合用突起７２の先端部の後面は、いずれかの押圧部材側係合部８３の前面に当接し、係合状態を形成している。係合用突起７２と押圧部材側係合部８３の係合により、押圧部材付勢体１１により付勢されているガスケット押圧部材８の先端方向への移動を阻止している。
【００３５】
この実施例のガスケット押圧具３では、図４に示すように、筒状部材５は、付勢体１２により、付勢体押圧用筒状部材６に対して、後方に付勢されている。このため、操作部材５は、最も後方に下がった状態となっている。具体的には、図４に示すように、操作部材５のスライド用突起５６，５７が、付勢体押圧用筒状部材６の軸方向凹部６８の後端に当接する状態となっている。
【００３６】
そして、図１３に示すように、操作部材５を矢印方向に押し込むことにより、操作部材５は、先端方向に移動する。そして、図１４に示すように、操作部材５の係合解除用突出部５２，５３は、移動規制部材７の規制部材本体部７１の内面（下面）に当接し、規制部材本体部７１を矢印方向（外方）に押し上げる。規制部材本体部７１の外方への移動により、係合用突起７２も外方に移動し、押圧部材側係合部８３と係合しなくなり、両者の係合が解除される。これにより、付勢体１２により、ガスケット押圧部材８は、ガスケット２２を押圧し、先端方向に移動させる。
【００３７】
また、この実施例のガスケット押圧具３では、操作部材５の押圧を停止することにより、直ちに、操作部材５は、付勢体１２により、後方に押し戻され、図４に示す位置に後退する。操作部材５の後退により、係合解除用突出部５２，５３も後退するため、規制部材本体部７１の外方へ押し上げもなくなり、係合用突起７２は、その弾性変形力により、押し下げられ、原形態に復帰し、押圧部材側係合部８３と再び係合し、ガスケット押圧部材８およびガスケット２２の移動も停止する。
【００３８】
よって、この実施例のガスケット押圧具３では、操作部材５を矢印方向への押し込み時のみ、薬液を投与でき、かつ、薬液の投与は、押圧部材付勢体１１により補助される。
【００３９】
次に、図１６ないし図３０に示す実施例の薬液投与具１００およびガスケット押圧具１０３について説明する。
この実施例の薬液投与具１００は、後端部にフランジ２３を有する外筒２０と、外筒２０内に摺動可能に収納されたガスケット２２とを有するシリンジ２と、本発明のガスケット押圧具１０３とを備える。シリンジ２としては、プレフィルドシリンジ２ａを用いることができる。また、薬液投与具１００としては、プレフィルドシリンジ２ａにガスケット押圧具１０３が装着された状態となっているものであってもよい。
【００４０】
この実施例のガスケット押圧具１０３は、図１６ないし図３０に示し、後述するように、移動規制部材１０７の操作用押圧部１７６、１７７を中央側に押し込むことより、言い換えれば、横押しすることにより、係合用突起１７２，１７３と押圧部材側係合部１８３との係合が解除する操作機能を備えている。
【００４１】
この実施例のガスケット押圧具１０３では、図２０ないし図２３に示すように、移動規制部材１０７は、付勢体押圧用筒状部材１０６または／およびシリンジ装着部材１０４により保持されたリング状の先端部１７１と、先端部１７１より後方に位置し、一端部に設けられた係合用突起１７２，１７３と、操作用押圧部１７６、１７７と、係合用突起１７２，１７３と操作用押圧部１７６、１７７とを連結するフレーム１７４、１７５とを有する操作部を備える。ガスケット押圧具１０３は、移動規制部材１０７の操作用押圧部１７６、１７７と付勢体押圧用筒状部材１０６間に配置され、操作用押圧部１７６、１７７を外方に付勢する押圧部付勢体１１５，１１６を備えている。これらにより係合状態保持機能が構成されている。
【００４２】
また、この実施例のガスケット押圧具１０３は、図２０ないし図２３に示すように、操作用押圧部１７６、１７７の押圧時に、フレーム１７４、１７５と連動して係合用突起１７２，１７３が外側方向に移動することにより、移動規制部材１０７の係合用突起１７２，１７３とガスケット押圧部材１０８の押圧部材側係合部１８３との係合が解除されるものとなっている。
【００４３】
また、操作用押圧部１７６、１７７の押圧を解除することにより、押圧部付勢体１１５，１１６により操作用押圧部１７６、１７７が押し戻されることにより、フレーム１７４、１７５と連動し係合用突起１７２，１７３が内側方向に移動し、移動規制部材１０７の係合用突起１７２，１７３とガスケット押圧部材１０８の押圧部材側係合部１８３とが、再び係合するものとなっている。
【００４４】
また、この実施例のガスケット押圧具１０３では、図２０に示すように、シリンジ装着部材１０４は、付勢体押圧用筒状部材１０６の開口部１６５、１６６、係合用突起、操作用押圧部およびフレームとからなる操作部および押圧部付勢体１１５，１１６は、それぞれ向かい合うように２つ備えている。
【００４５】
この実施例のガスケット押圧具１０３は、図１６ないし図２６に示すように、特に、図２４ないし図２６に示すように、シリンジ装着部材１０４、筒状のガスケット押圧部材１０８、ガスケット押圧部材１０８内に先端側部分が収納された押圧部材付勢体１１１と、押圧部材付勢体１１１を後端側から押圧するための付勢体押圧用筒状部材１０６と、移動規制部材１０７とを備えている。
【００４６】
シリンジ装着部材１０４は、図１６ないし図２６に示すように、本体部１４１と、本体部１４１の上面から下方に向かって延びる円弧状凹部により形成された収納部１４２を備える。収納部１４２は、外筒２０のフランジ２３と、付勢体押圧用筒状部材１０６のフランジ部１６２を同時に収納可能となっており、両者を収納することにより、ガスケット押圧具１０３は、シリンジ２（外筒２０）に装着（連結）される。シリンジ装着部材１０４は、言い換えれば、シリンジ連結部材である。
【００４７】
ガスケット押圧部材１０８は、図２１、図２４ないし図２６に示すように、筒状本体部１８１を有する筒状体となっている。先端部には、収納する押圧部材付勢体１１１の先端が当接可能な先端内面部を備え、先端部の外面には、ガスケットへの装着部１８２を備えている。筒状本体部１８１の外面には、係合用の押圧部材側係合部１８３が、ガスケット押圧部材１０８（筒状本体部１８１）の軸方向に複数、等間隔にて設けられている。
【００４８】
言い換えれば、ガスケット押圧部材１０８は、複数の押圧部材側係合部１８３を有する突起部保有部を備えており、さらに、この実施例では、複数の押圧部材側係合部１８３を有する突起部保有部は、向かい合うように、２つ形成されている。ガスケット押圧部材１０８は、先端部（具体的には、筒状本体部１８１の先端面もしくはガスケット装着部１８２）にて、ガスケット２２の後端部と当接可能であり、ガスケット２２を押圧可能なものとなっている。
【００４９】
また、ガスケット押圧部材１０８は、複数の隣り合う押圧部材側係合部１８３を有するとともに、軸方向に隣り合う押圧部材側係合部１８３間に、係合用突起１７２，１７３が外面側より進入可能な空隙を備えている。
【００５０】
この実施例では、押圧部材側係合部１８３は、ガスケット押圧部材１０８の外面に形成された複数のリブにより構成されている。なお、押圧部材側係合部１８３としては、係合用突起１７２の後面と当接可能（係合可能）な前面を備えるものであればよく、例えば、ガスケット押圧部材１０８（筒状本体部１８１）の外面に複数の溝部を設け、溝部の前面が、係合用突起１７２の後面と当接可能（係合可能）なものであってもよい。
【００５１】
押圧部材付勢体１１１としては、図２１、図２４ないし図２６に示すように、圧縮可能なコイルスプリングが好適に用いられる。なお、押圧部材付勢体１１１としては、圧縮可能なチューブ状の弾性体であってもよい。押圧部材付勢体１１１は、ガスケット押圧部材１０８の筒状本体部１８１の内腔長よりも長いものとなっており、先端側がガスケット押圧部材１０８内に収納され、先端面が筒状本体部１８１の先端内面部に当接した図２１、図２４ないし図２６に示す状態において、後端部が、ガスケット押圧部材１０８の後端より、突出するものとなっている。
【００５２】
付勢体押圧用筒状部材１０６は、図２１に示すように、押圧部材付勢体１１１を後端側から押圧するための部材である。付勢体押圧用筒状部材１０６は、図２１、図２４ないし図２６に示すように、筒状本体部１６１と、本体部１６１の先端部に設けられたフランジ部１６２と、フランジ部１６２より後方の側部に設けられ、移動規制部材１０７の係合用突起１７２，１７３の進入用の開口部１６５、１６６と、後端内面（底面部１６３）より先端方向に突出し、押圧部材付勢体１１１内に進入可能な棒状部１６７を備える。
【００５３】
筒状本体部１６１は、押圧部材付勢体１１１の後端部を収納可能なものとなっており、棒状部１６７は、押圧部材付勢体１１１内に進入しており、押圧部材付勢体１１１内の圧縮時（押圧時）における押圧部材付勢体１１１の湾曲変形を規制している。
【００５４】
移動規制部材１０７は、図２０ないし図２８、特に、図２０、図２６ないし図２８に示すように、付勢体押圧用筒状部材１０６の外面とシリンジ装着部材１０４の内面間により挟持されたリング状の先端部１７１と、先端部１７１より後方に位置し、一端部に設けられた係合用突起１７２，１７３と、操作用押圧部１７６、１７７と、係合用突起１７２，１７３と操作用押圧部１７６、１７７とを連結するフレーム１７４、１７５と、操作用押圧部１７６、１７７とリング状の先端部１７１を接続する連結部１７８，１７９を備えている。
【００５５】
移動規制部材１０７では、リング状の先端部１７１の後端面より２つの向かい合う連結部１７８，１７９が、後端方向に延びている。そして、連結部１７８，１７９の後端部には、膨出部となった操作用押圧部１７６、１７７が設けられている。そして、図２６および図２８に示すように、操作用押圧部１７６、１７７より、円弧状のフレーム１７４，１７５が延びており、その先端部に、内側（移動規制部材１０７の中心方向）に延びる突出部が形成されており、その先端部が、係合用突起１７２，１７３となっている。
【００５６】
係合用突起１７２，１７３は、図２０、図２８に示すように、フレーム１７４、１７５により連結しているそれぞれの操作用押圧部１７６、１７７とほぼ向かい合うものとなっている。なお、この実施例では、移動規制部材１０７は、独立した２つの操作部を備えており、第１の操作部は、操作用押圧部１７６、係合用突起１７２、フレーム１７４および連結部１７８により構成されている。第２の操作部は、操作用押圧部１７７、係合用突起１７３、フレーム１７５および連結部１７９により構成されている。それらは、リング状の先端部１７１に接続されている。
【００５７】
そして、図２０、図２１、図２３に示すように、移動規制部材１０７の操作用押圧部１７６、１７７と付勢体押圧用筒状部材１０６間のそれぞれには、押圧部付勢体１１５，１１６が配置されている。押圧部材付勢体１１５，１１６としては、図２０に示すように、圧縮可能なコイルスプリングが好適に用いられる。なお、押圧部材付勢体１１５，１１６としては、圧縮可能なチューブ状の弾性体であってもよい。 操作用押圧部１７６、１７７は、押圧部材付勢体１１５，１１６により、外方に押圧され、操作用押圧部１７６、１７７とフレーム１７４、１７５により連結された係合用突起１７２，１７３は、図２０、図２３に示すように、内側に、言い換えれば、ガスケット押圧部材１０８の外面に押しつけられている。
【００５８】
また、この実施例では、付勢体押圧用筒状部材１０６は、押圧部付勢体１１５，１１６の一端部（下端部）を収納する収納部を備えており、この実施例では、収納部は、開口部１６５、１６６の側部に設けられた段部（凹部）により形成されている。
【００５９】
そして、この実施例のガスケット押圧具１０３では、図２０に示すように、付勢体押圧用筒状部材１０６の開口部１６５、１６６を貫通した係合用突起１７２，１７３は、ガスケット押圧部材１０８の外面に押しつけられ、ガスケット押圧部材１０８の押圧部材側係合部１８３との係合状態が保持されるものとなっている。また、図２１ないし図２３に示す状態、言い換えれば、通常状態（非操作時、図１６および図１７に示す状態）では、係合用突起１７２，１７３は、２つの押圧部材側係合部１８３間に進入し、かつ、係合用突起１７２，１７３の先端部の後面は、いずれかの押圧部材側係合部１８３の前面に当接している。係合用突起１７２，１７３と押圧部材側係合部１８３の係合により、押圧部材付勢体１１１により付勢されているガスケット押圧部材１０８の先端方向への移動を阻止している。
【００６０】
そして、図２９および図３０に示すように、移動規制部材１０７の２つの操作用押圧部１７６、１７７を同時に、矢印方向に押すことにより、フレームとともに係合用突起１７２，１７３は、矢印方向（外方）に移動し、押圧部材側係合部１８３と係合しなくなり、両者の係合が解除される。これにより、押圧部材付勢体１１１により、ガスケット押圧部材１０８は、ガスケット２２を押圧し、先端方向に移動させる。
【００６１】
また、この実施例のガスケット押圧具１０３では、操作用押圧部１７６、１７７の押圧を停止することにより、直ちに、操作用押圧部１７６、１７７は、付勢体１１５，１１６により、押し上げられ、フレームとともに係合用突起１７２，１７３は、図２９および図３０の矢印方向と逆方向（内側）に移動し、係合用突起１７２，１７３は、押圧部材側係合部１８３と再び係合し、ガスケット押圧部材１０８およびガスケット２２の移動も停止する。
【００６２】
よって、この実施例のガスケット押圧具１０３では、操作用押圧部１７６、１７７の矢印方向への押圧時のみ、薬液を投与でき、かつ、薬液の投与は、押圧部材付勢体１１１により補助される。
【００６３】
次に、図３１ないし図４１に示す実施例の薬液投与具２００およびガスケット押圧具２０３について説明する。
この実施例の薬液投与具２００は、後端部にフランジ２３を有する外筒２０と、外筒２０内に摺動可能に収納されたガスケット２２とを有するシリンジ２と、本発明のガスケット押圧具２０３とを備える。シリンジ２としては、プレフィルドシリンジ２ａを用いることができる。また、薬液投与具２００としては、プレフィルドシリンジ２ａにガスケット押圧具２０３が装着された状態となっているものであってもよい。
【００６４】
この実施例のガスケット押圧具２０３は、図３１ないし図４１に示し、後述するように、移動規制部材２０７を回転させることにより、係合用突起２７２と押圧部材側係合部２８３との係合が解除する係合解除操作機能を備えている。
【００６５】
そして、この実施例のガスケット押圧具２０３では、移動規制部材２０７は、付勢体押圧用筒状部材２０６の先端部を部分的に被包する筒状部２７１と、筒状部２７１の内面に設けられた係合用突起２７２を有している。ガスケット押圧具２０３は、付勢体押圧用筒状部材２０６と移動規制部材２０７間に配置され、かつ、一端部が付勢体押圧用筒状部材２０６に固定され、他端部が移動規制部材２０７に固定され、係合用突起２７２とガスケット押圧部材２０８の押圧部材側係合部２８３との係合状態を維持する環状付勢体２１２を備えている。これらにより、係合状態保持機能が構成されている。
【００６６】
そして、この実施例のガスケット押圧具２０３は、移動規制部材２０７を付勢体押圧用筒状部材２０６に対して、所定角度回転させたとき、移動規制部材２０７の係合用突起２７２とガスケット押圧部材２０８の押圧部材側係合部２８３との係合が解除され、移動規制部材２０７の回転操作解除により、環状付勢体２１２により移動規制部材２０７が逆回転することにより、移動規制部材２０７の係合用突起２７２とガスケット押圧部材２０８の押圧部材側係合部２８３とが、再び係合するものとなっている。
【００６７】
この実施例のガスケット押圧具２０３は、図３１ないし図４１、特に、図３９ないし図４１に示すように、シリンジ装着部材２０４、筒状のガスケット押圧部材２０８、ガスケット押圧部材２０８内に先端側部分が収納された押圧部材付勢体２１１、押圧部材付勢体２１１を後端側から押圧するための付勢体押圧用筒状部材２０６、移動規制部材２０７を備えている。
【００６８】
シリンジ装着部材２０４は、図３１ないし図４１に示すように、本体部２４１と、本体部２４１の上面から下方に向かって延びる円弧状凹部により形成された収納部２４２を備える。収納部２４２は、外筒２０のフランジ２３と、付勢体押圧用筒状部材２０６のフランジ部２６２を同時に収納可能となっており、両者を収納することにより、ガスケット押圧具２０３は、シリンジ２（外筒２０）に装着（連結）される。シリンジ装着部材２０４は、言い換えれば、シリンジ連結部材である。
【００６９】
ガスケット押圧部材２０８は、図３４，図３６、図３９ないし図４１に示すように、筒状本体部２８１を有する筒状体となっている。先端部には、収納する押圧部材付勢体２１１の先端が当接可能な先端内面部を備え、先端部の外面には、ガスケットへの装着部２８２を備えている。筒状本体部２８１の外面には、押圧部材側係合部２８３が、ガスケット押圧部材２０８（筒状本体部２８１）の軸方向に複数、等間隔にて設けられている。
【００７０】
ガスケット押圧部材２０８は、先端部（具体的には、筒状本体部２８１の先端面もしくはガスケット装着部２８２）にて、ガスケット２２の後端部と当接可能であり、ガスケット２２を押圧可能なものとなっている。
【００７１】
また、この実施例では、ガスケット押圧部材２０８（筒状本体部２８１）は、外面に形成された複数の溝部を有し、溝部の前面が、係合用突起２７２の後面と当接可能（係合可能）な押圧部材側係合部２８３を形成している。また、溝部は、軸方向に隣り合う押圧部材側係合部２８３間に、係合用突起２７２が周方向より進入可能な空隙を形成している。なお、押圧部材側係合部２８３は、突出部により形成されたものであってもよい。
【００７２】
押圧部材付勢体２１１としては、図３４、図３９および図４０に示すように、圧縮可能なコイルスプリングが好適に用いられる。なお、押圧部材付勢体２１１としては、圧縮可能なチューブ状の弾性体であってもよい。押圧部材付勢体２１１は、ガスケット押圧部材２０８の筒状本体部２８１の内腔長よりも長いものとなっており、先端側がガスケット押圧部材２０８内に収納され、先端面が筒状本体部２８１の先端内面部に当接した図３４、図３９および図４０に示す状態において、後端部が、ガスケット押圧部材２０８の後端より、突出するものとなっている。
【００７３】
付勢体押圧用筒状部材２０６は、図３４に示すように、押圧部材付勢体２１１を後端側から押圧するための部材である。付勢体押圧用筒状部材２０６は、図３４、図３９および図４０に示すように、筒状本体部２６１と、本体部２６１の先端部に設けられたフランジ部２６２と、フランジ部２６２より後方の側部に設けられた後述する移動規制部材２０７の係合用突起２７２の進入用の開口部２６３と、後端内面（底面部２６４）より先端方向に突出し、押圧部材付勢体２１１内に進入可能な棒状部２６５を備える。
【００７４】
筒状本体部２６１は、押圧部材付勢体２１１の後端部を収納可能なものとなっており、棒状部２６５は、押圧部材付勢体２１１内に進入しており、押圧部材付勢体２１１内の圧縮時（押圧時）における押圧部材付勢体２１１の湾曲変形を規制している。
【００７５】
移動規制部材２０７は、図３１ないし図４１、特に、図３６、図３７、図３９ないし図４１に示すように、付勢体押圧用筒状部材２０６の先端部を被包する筒状部２７１と、筒状部２７１の内面に設けられた係合用突起２７２を有している。そして、係合用突起２７２は、付勢体押圧用筒状部材２０６の開口部２６３より進入し、係合用突起２７２の先端は、ガスケット押圧部材２０８の外面付近、具体的には、ガスケット押圧部材２０８の隣り合う押圧部材側係合部２８３間に進入し、その係合用突起２７２の後面が、押圧部材側係合部２８３の前面と係合し、ガスケット押圧部材２０８の先端方向への移動を阻止している。
【００７６】
そして、ガスケット押圧部材２０８の先端方向への移動の阻止状態は、環状付勢体２１２により保持されている。環状付勢体２１２としては、ねじりばね、ねじりコイルばねと呼ばれるものが好適に使用される。ねじりコイルばねは、コイル中心軸まわりにねじりモーメントを受けるばねである。
【００７７】
そして、この実施例のガスケット押圧具２０３では、環状付勢体２１２として用いられているねじりコイルばねの一端部は、付勢体押圧用筒状部材２０６に固定されており、他端部は、移動規制部材２０７に固定されている。このため、移動規制部材２０７は、環状付勢体２１２を介して、付勢体押圧用筒状部材２０６に取付されている。
【００７８】
この実施例のガスケット押圧具２０３では、移動規制部材２０７の非操作時である通常状態では、図３６および図３７に示すように、環状付勢体２１２により、係合用突起２７２の先端が、ガスケット押圧部材２０８の隣り合う押圧部材側係合部２８３間に進入し、ガスケット押圧部材２０８の先端方向への移動が阻止された状態が保持されている。
【００７９】
さらに、この実施例のガスケット押圧具２０３では、環状付勢体２１２の付勢力に対抗して、移動規制部材２０７に回転力を与えると、移動規制部材２０７は、移動規制部材２０７（付勢体押圧用筒状部材２０６）の中心軸回りに、回動する。移動規制部材２０７が、回動することにより、移動規制部材２０７の係合用突起２７２は、付勢体押圧用筒状部材２０６の周方向に移動し、これにより、係合用突起２７２と押圧部材側係合部２８３との係合が解除される。
【００８０】
また、移動規制部材２０７の回転操作により、係合用突起２７２は、隣り合う押圧部材側係合部２８３間から周方向に確実に離脱できることが好ましい。このためには、押圧部材側係合部２８３は、係合状態においては存在し、移動規制部材２０７の回転時の係合用突起２７２の移動方向には、延びていない（存在しない）ものとなっている。
【００８１】
そして、図３８に示すように、移動規制部材２０７の回動操作により、係合用突起２７２と押圧部材側係合部２８３との係合が解除されると、付勢体２１２により、ガスケット押圧部材２０８は、ガスケット２２を押圧し、先端方向に移動させる。
【００８２】
また、この実施例のガスケット押圧具２０３では、移動規制部材２０７の回動を停止することにより、直ちに、移動規制部材２０７は、環状付勢体２１２により、逆回転し、係合用突起２７２は、押圧部材側係合部２８３と再び係合し、ガスケット押圧部材２０８およびガスケット２２の移動も停止する。
【００８３】
よって、この実施例のガスケット押圧具２０３では、移動規制部材２０７の回動操作時のみ、薬液を投与でき、かつ、薬液の投与は、押圧部材付勢体２１１により補助される。
【００８４】
次に、図４２ないし図５５に示す実施例の薬液投与具３００およびガスケット押圧具３０３について説明する。
この実施例の薬液投与具３００は、後端部にフランジ２３を有する外筒２０と、外筒２０内に摺動可能に収納されたガスケット２２とを有するシリンジ２と、本発明のガスケット押圧具３０３とを備える。シリンジ２としては、プレフィルドシリンジ２ａを用いることができる。また、薬液投与具３００としては、プレフィルドシリンジ２ａにガスケット押圧具３０３が装着された状態となっているものであってもよい。
【００８５】
この実施例のガスケット押圧具３０３は、図４２ないし図５５に示し、後述するように、操作部材３０５を押圧（押し込む）ことにより、移動規制部材３０７が回転し、係合用突起３７２と押圧部材側係合部３８３との係合を解除させる係合解除操作機能を備えている。
【００８６】
また、この実施例のガスケット押圧具３０３では、移動規制部材３０７は、付勢体押圧用筒状部材３０６を部分的に被包する筒状部３７１と、筒状部３７１の内面に設けられた係合用突起３７２を有している。さらに、ガスケット押圧具３０３は、付勢体押圧用筒状部材３０６と移動規制部材間に配置され、かつ、一端部が付勢体押圧用筒状部材３０６に固定され、他端部が移動規制部材３０７に固定され、係合用突起３７２と移動規制部材３０７の押圧部材側係合部３８３との係合状態を維持する環状付勢体３１２を備えている。これらにより、係合状態保持機能が構成されている。
【００８７】
さらに、この実施例のガスケット押圧具３０３は、付勢体押圧用筒状部材３０６の後端部に、軸方向に移動可能に装着された筒状の操作部材３０５を備える。操作部材３０５は、先端側への押込操作時に、移動規制部材３０７に当接し、移動規制部材３０７を回転させるための回動用突出部３５２，３５３と、操作部材３０５内に収納され、先端が付勢体押圧用筒状部材３０６の後端面に当接し、操作部材３０５を後方に付勢する操作部材付勢体３１３を備えている。
【００８８】
そして、この実施例のガスケット押圧具３０３では、操作部材３０５の押込により、移動規制部材３０７が回転したとき、移動規制部材３０７の係合用突起３７２とガスケット押圧部材３０８の押圧部材側係合部３８３との係合が解除されるものとなっている。さらに、操作部材３０５の押込の解除により、操作部材３０５が後退するとともに、環状付勢体３１２により移動規制部材が逆回転し、移動規制部材の係合用突起３７２とガスケット押圧部材３０８の押圧部材側係合部３８３とが、再び係合するものとなっている。
【００８９】
この実施例のガスケット押圧具３０３は、図４２ないし図５５、特に、図５３ないし図５５に示すように、シリンジ装着部材３０４、筒状のガスケット押圧部材３０８、ガスケット押圧部材３０８内に先端側部分が収納された押圧部材付勢体３１１と、押圧部材付勢体３１１を後端側から押圧するための付勢体押圧用筒状部材３０６と、移動規制部材３０７と、操作部材３０５と、操作部材３０５を後方に付勢する操作部材付勢体３１３とを備えている。
【００９０】
シリンジ装着部材３０４は、図４２ないし図５５に示すように、本体部３４１と、本体部３４１の上面から下方に向かって延びる円弧状凹部により形成された収納部３４２を備える。収納部３４２は、外筒２０のフランジ２３と、付勢体押圧用筒状部材３０６のフランジ部３６２を同時に収納可能となっており、両者を収納することにより、ガスケット押圧具３０３は、シリンジ２（外筒２０）に装着（連結）される。シリンジ装着部材３０４は、言い換えれば、シリンジ連結部材である。
【００９１】
ガスケット押圧部材３０８は、図４６，図５３ないし図５５に示すように、筒状本体部３８１を有する筒状体となっている。先端部には、収納する押圧部材付勢体３１１の先端が当接可能な先端内面部を備え、先端部の外面には、ガスケットへの装着部３８２を備えている。筒状本体部３８１の外面には、押圧部材側係合部３８３が、ガスケット押圧部材３０８（筒状本体部３８１）の軸方向に複数、等間隔にて設けられている。
【００９２】
また、この実施例では、ガスケット押圧部材３０８（筒状本体部３８１）の外面に形成された複数の溝部を有し、溝部の前面が押圧部材側係合部３８３を形成しており、係合用突起３７２の後面と当接可能（係合可能）なものとなっている。また、溝部は、軸方向に隣り合う係合部３８３間に、係合用突起３７２が周方向より進入可能な空隙を形成している。なお、押圧部材側係合部３８３は、突出部により形成されたものであってもよい。
【００９３】
ガスケット押圧部材３０８は、先端部（具体的には、筒状本体部３８１の先端面もしくはガスケット装着部３８２）にて、ガスケット２２の後端部と係合可能であり、ガスケット２２を押圧可能なものとなっている。
また、ガスケット押圧部材３０８は、複数の隣り合う押圧部材側係合部３８３を有するとともに、軸方向に隣り合う押圧部材側係合部３８３間に、係合用突起３７２が周方向より進入可能な空隙を備えている。
【００９４】
押圧部材付勢体３１１としては、図４６、図５３および図５４に示すように、圧縮可能なコイルスプリングが好適に用いられる。なお、押圧部材付勢体３１１としては、圧縮可能なチューブ状の弾性体であってもよい。押圧部材付勢体３１１は、ガスケット押圧部材３０８の筒状本体部３８１の内腔長よりも長いものとなっており、先端側がガスケット押圧部材３０８内に収納され、先端面が筒状本体部３８１の先端内面部に当接した図４６、図５３および図５４に示す状態において、後端部が、ガスケット押圧部材３０８の後端より、突出するものとなっている。
【００９５】
付勢体押圧用筒状部材３０６は、図４６に示すように、押圧部材付勢体３１１を後端側から押圧するための部材である。付勢体押圧用筒状部材３０６は、図４６、図５３および図５４に示すように、筒状本体部３６１と、本体部３６１の先端部に設けられたフランジ部３６２と、フランジ部３６２より後方の側部に設けられた後述する移動規制部材３０７の係合用突起３７２の進入用の開口部３６４と、後端内面（底面部３６３）より先端方向に突出し、押圧部材付勢体３１１内に進入可能な棒状部３６７を備える。筒状本体部３６１は、押圧部材付勢体３１１の後端部を収納可能なものとなっており、棒状部３６７は、押圧部材付勢体３１１内に進入しており、押圧部材付勢体３１１内の圧縮時（押圧時）における押圧部材付勢体３１１の湾曲変形を規制している。
【００９６】
さらに、付勢体押圧用筒状部材３０６は、図５３および図５５に示すように、軸方向凹部３６８と、軸方向凹部３６８の後端より周方向に延びる周方向溝部と、周方向溝部の終端より軸方向に延びる軸方向溝部とを備える誘導用溝部３６９とを備えている。
【００９７】
移動規制部材３０７は、図４２ないし図５５、特に、図４８、図４９、図５３ないし図５５に示すように、付勢体押圧用筒状部材３０６の先端部を被包する筒状部３７１と、筒状部３７１の内面に設けられた係合用突起３７２を有している。そして、係合用突起３７２は、付勢体押圧用筒状部材３０６の開口部３６４より進入し、係合用突起３７２の先端は、ガスケット押圧部材３０８の外面付近、具体的には、ガスケット押圧部材３０８の隣り合う押圧部材側係合部３８３間に進入し、その係合用突起３７２の後面が、押圧部材側係合部３８３の前面と係合し、ガスケット押圧部材３０８の先端方向への移動を阻止している。
【００９８】
そして、ガスケット押圧部材３０８の先端方向への移動の阻止状態は、環状付勢体３１２により保持されている。環状付勢体３１２としては、ねじりばね、ねじりコイルばねと呼ばれるものが好適に使用される。ねじりコイルばねは、コイル中心軸まわりにねじりモーメントを受けるばねである。
【００９９】
そして、この実施例のガスケット押圧具３０３では、環状付勢体３１２として用いられているねじりコイルばねの一端部は、付勢体押圧用筒状部材３０６に固定されており、他端部は、移動規制部材３０７に固定されている。このため、移動規制部材３０７は、環状付勢体３１２を介して、付勢体押圧用筒状部材３０６に固定されたものとなっている。
【０１００】
操作部材３０５は、図４２ないし図５５、特に、図４６、図４８、図５１、図５３ないし図５５に示すように、筒状本体部３５１と、本体部３５１の先端部の外面に設けられた回動用突出部３５２，３５３と、回動用突出部３５２，３５３の内側となる筒状本体部３５１の先端部内面に設けられたスライド用突起を備えている。
【０１０１】
スライド用突起は、付勢体押圧用筒状部材３０６の軸方向凹部３６８内に進入し、操作部材３０５を付勢体押圧用筒状部材６の軸方向にスライド可能なものとするとともに、操作部材３０５の回動用突出部３５２，３５３を移動規制部材３０７の筒状部３７１の外面に誘導する。スライド用突起は、付勢体押圧用筒状部材３０６の誘導用溝部３６９の軸方向溝部の後端より挿入し、周方向溝部に到達後、操作部材３０５を回転させることにより、軸方向凹部３６８内に進入させることができるものとなっている。また、誘導用溝部３６９の周方向溝部には、脱け止めリブが設けられている。
【０１０２】
この実施例のガスケット押圧具３０３では、図４２，図４７，図５３、図５５に示すように、移動規制部材３０７は、移動規制部材３０７の外面に設けられ、係合用突起３７２と押圧部材側係合部３８３との係合が解除する回転方向かつ斜めに形成された被包部材側傾斜部３７４を備えている。この実施例では、移動規制部材３０７は、外面隆起部３７３を備え、その側壁により、被包部材側傾斜部３７４が形成されている。なお、被包部材側傾斜部３７４は、移動規制部材３０７に凹部を設け、凹部の内側面により、形成されたものであってもよい。
【０１０３】
そして、操作部材３０５は、図４６、図４８、図５１、図５３ないし図５５に示すように、回動用突出部３５２，３５３に設けられた操作部材側傾斜部３５５，３５６を備えている。操作部材側傾斜部３５５，３５６は、操作部材３０５の押込操作時に、被包部材側傾斜部３７４と摺接し、移動規制部材３０７を回転させるものとなっている。
【０１０４】
そして、図４６、図４８、図５３および図５４に示すように、操作部材３０５内（筒状本体部３５１内）には、操作部材付勢体３１３が収納されている。操作部材付勢体３１３としては、圧縮可能なコイルスプリングが好適に用いられる。なお、押圧部材付勢体３１３としては、圧縮可能なチューブ状の弾性体であってもよい。図４６に示すように、操作部材付勢体３１３は、先端が付勢体押圧用筒状部材３０６の後端外面に当接し、後端が操作部材３０５の後端内面に当接し、両者により押圧可能なものとなっている。そして、圧縮された操作部材付勢体３１３は、操作部材３０５を後方に押圧（付勢）する。
【０１０５】
この実施例のガスケット押圧具３０３は、移動規制部材３０７の被包部材側傾斜部３７４および操作部材３０５の回動用突出部３５２，３５３は、それぞれ向かい合うように２つ設けられている。
【０１０６】
この実施例のガスケット押圧具３０３では、操作部材３０５の非操作時、言い換えれば、移動規制部材３０７の非回転時である通常状態では、図４８および図４９に示すように、環状付勢体３１２により、係合用突起３７２の先端が、ガスケット押圧部材３０８の隣り合う押圧部材側係合部３８３間に進入し、ガスケット押圧部材３０８の先端方向への移動が阻止された状態が保持されている。
【０１０７】
そして、この実施例のガスケット押圧具３０３では、図５０に示すように、操作部材３０５を押圧し、押し込むことにより、操作部材３０５は、図５０，図５１に示すように、前進し、操作部材３０５の回動用突出部３５２，３５３は、移動規制部材３０７の被包部材側傾斜部３７４に摺接し、移動規制部材３０７に、環状付勢体３１２の付勢力に対抗する回転力を与える。
【０１０８】
これにより、図５１および図５２に示すように、移動規制部材３０７は、移動規制部材３０７（付勢体押圧用筒状部材３０６）の中心軸回りに回動する。移動規制部材３０７が、回動することにより、移動規制部材３０７の係合用突起３７２は、付勢体押圧用筒状部材３０６の周方向に移動し、これにより、係合用突起３７２と押圧部材側係合部３８３との係合が解除される。
【０１０９】
なお、移動規制部材３０７の回転操作により、係合用突起３７２は、隣り合う押圧部材側係合部３８３間から周方向に確実に離脱できることが好ましい。このためには、押圧部材側係合部３８３は、係合状態においては存在し、移動規制部材３０７の回転時の係合用突起３７２の移動方向には、延びていない（存在しない）ものとなっている。
【０１１０】
そして、図５１，図５２に示すように、移動規制部材３０７の回動操作により、係合用突起３７２と押圧部材側係合部３８３との係合が解除されると、付勢体３１２により、ガスケット押圧部材３０８は、ガスケット２２を押圧し、先端方向に移動させる。
【０１１１】
また、この実施例のガスケット押圧具３０３では、操作部材３０５の押圧を停止することにより、操作部材３０５は、付勢体３１３により後方に移動し、直ちに、移動規制部材３０７は、付勢体３１２により逆回転され、係合用突起３７２は、押圧部材側係合部３８３と再び係合し、ガスケット押圧部材３０８およびガスケット２２の移動も停止となる。
【０１１２】
よって、この実施例のガスケット押圧具３０３では、操作部材３０５の押込操作時のみ、薬液を投与でき、かつ、薬液の投与は、押圧部材付勢体３１１により補助される。
【産業上の利用可能性】
【０１１３】
本発明のガスケット押圧具は、以下のものである。
（１）  後端部にフランジを有する外筒と、前記外筒内に摺動可能に収納されたガスケットとを有するシリンジの前記ガスケットを先端方向に移動させるためのガスケット押圧具であって、
前記ガスケット押圧具は、前記ガスケットを先端方向へ押圧可能なガスケット押圧部材と、前記外筒の前記フランジに装着されるシリンジ装着部材と、
先端部が前記ガスケット押圧部材内に収納され、後端部が前記ガスケット押圧部材より突出した押圧部材付勢体と、
前記押圧部材付勢体の前記後端部を収納し、先端部に設けられ、前記シリンジ装着部材に収納されるフランジ部と、前記フランジ部より後方の側部に設けられた開口部とを有する付勢体押圧用筒状部材と、
前記付勢体押圧用筒状部材または／および前記シリンジ装着部材に保持され、前記開口部より前記付勢体押圧用筒状部材内に進入する係合用突起を有し、前記ガスケット押圧部材の移動を規制する移動規制部材とを備え、
前記ガスケット押圧部材は、前記移動規制部材の前記係合用突起と係合可能な押圧部材側係合部を軸方向に複数備えており、さらに、
前記ガスケット押圧具は、前記移動規制部材の前記係合用突起と前記ガスケット押圧部材の前記押圧部材側係合部との係合状態を保持する係合状態保持機能と、前記係合用突起を移動させ、前記係合用突起と前記押圧部材側係合部との係合を解除させる係合用突起操作機能とを備えているガスケット押圧具。【０１１４】
本発明のガスケット押圧具は、後端部にフランジを有する外筒と、外筒内に摺動可能に収納されたガスケットとを有するシリンジのガスケットを先端方向に移動させるためのものである。ガスケット押圧具は、ガスケットを先端方向へ押圧可能なガスケット押圧部材と、外筒のフランジに装着されるシリンジ装着部材と、先端部がガスケット押圧部材内に収納され、後端部がガスケット押圧部材より突出した押圧部材付勢体と、押圧部材付勢体の後端部を収納し、先端部に設けられ、シリンジ装着部材に収納されるフランジ部と、フランジ部より後方の側部に設けられた開口部とを有する付勢体押圧用筒状部材と、付勢体押圧用筒状部材または／およびシリンジ装着部材に保持され、開口部より付勢体押圧用筒状部材内に進入する係合用突起を有し、ガスケット押圧部材の移動を規制する移動規制部材とを備え、ガスケット押圧部材は、移動規制部材の係合用突起と係合可能な押圧部材側係合部を軸方向に複数備えており、さらに、ガスケット押圧具は、移動規制部材の係合用突起とガスケット押圧部材の押圧部材側係合部との係合状態を保持する係合状態保持機能と、係合用突起を移動させ、係合用突起と前記押圧部材側係合部との係合を解除させる係合用突起操作機能とを備えている。【０１１５】
このガスケット押圧具は、通常状態においては、係合状態保持機能により、操作部材の係合用突起と押圧部材側係合部が係合し、ガスケット押圧部材の前進が阻止されており、係合用突起操作機能により、操作部材の係合用突起と押圧部材側係合部との係合が解除された時には、ガスケット押圧部材が押圧部材付勢体により先端方向に押圧される。このため、ガスケットは、押圧部材付勢体の付勢力により押圧されるので、ガスケットの移動が良好に補助され、薬液排出を容易に行うことができる。また、係合用突起操作機能による係合解除を中止した時には、係合状態保持機能により、操作部材の係合用突起と押圧部材側係合部が再び係合し、ガスケット押圧部材の前進が阻止されるので、薬液排出の中断、中止、所定量の薬液排出を容易に行うことができる。【０１１６】
また、上記の実施態様は、以下のものであってもよい。
（２）  前記移動規制部材は、先端部が前記付勢体押圧用筒状部材により保持され、前記先端部より後方に延び、かつ弾性変形可能な規制部材本体部と、前記本体部より前記ガスケット押圧部材方向に延びる前記係合用突起とを備え、前記規制部材本体部が、前記係合用突起を前記ガスケット押圧部材の前記押圧部材側係合部方向に押圧することにより、前記係合状態保持機能が形成されている上記（１）に記載のガスケット押圧具。
（３）  前記ガスケット押圧具は、前記付勢体押圧用筒状部材の後端部に、軸方向に移動可能に装着された筒状の操作部材と、前記操作部材内に収納され、先端が前記付勢体押圧用筒状部材の後端面に当接し、前記操作部材を後方に付勢する操作部材付勢体とを備え、前記操作部材は、先端側への移動時に、前記移動規制部材に当接し押し上げ、前記係合用突起と前記押圧部材側係合部との係合を解除するための係合解除用突出部を備えることにより、前記ガスケット押圧具は、前記係合用突起操作機能を有するものとなっている上記（１）または（２）に記載のガスケット押圧具。
（４）  前記付勢体押圧用筒状部材の前記開口部および前記移動規制部材の前記係合用突起は、それぞれ向かい合うように２つ設けられている上記（１）に記載のガスケット押圧具。
（５）  前記付勢体押圧用筒状部材の前記開口部、前記移動規制部材の前記係合用突起および前記操作部材の前記係合解除用突出部は、それぞれ向かい合うように２つ設けられている上記（３）に記載のガスケット押圧具。
（６）  前記移動規制部材は、前記付勢体押圧用筒状部材または／および前記シリンジ装着部材により保持された先端部と、前記先端部より後方に位置し、一端部に設けられた前記係合用突起と、操作用押圧部と、前記係合用突起と前記操作用押圧部とを連結するフレームとを有する操作部を備え、前記ガスケット押圧具は、前記移動規制部材の前記操作用押圧部と前記付勢体押圧用筒状部材間に配置され、前記操作用押圧部を外方に付勢する押圧部付勢体とを備えることにより、前記ガスケット押圧具は、前記係合状態保持機能を有するものとなっている上記（１）に記載のガスケット押圧具。
（７）  前記ガスケット押圧具は、前記操作部の前記操作用押圧部の押圧時に、前記フレームと連動して前記係合用突起が外側方向に移動することにより、前記係合用突起と前記移動規制部材の前記押圧部材側係合部との係合が解除され、かつ、前記操作用押圧部の押圧解除により、前記押圧部付勢体により前記操作用押圧部が押し戻されることにより、前記フレームと連動し前記係合用突起が内側方向に移動し、前記係合用突起と前記押圧部材側係合部とが、再び係合するものとなっている上記（６）に記載のガスケット押圧具。
（８）  前記付勢体押圧用筒状部材の前記開口部、前記操作部および前記押圧部付勢体は、それぞれ向かい合うように２つ設けられている上記（６）または（７）に記載のガスケット押圧具。
（９）  前記付勢体押圧用筒状部材は、前記押圧部付勢体の一端部を収納する収納部を備えている上記（６）ないし（８）のいずれかに記載のガスケット押圧具。
（１０）  前記ガスケット押圧部材は、軸方向に隣り合う前記押圧部材側係合部間に、前記係合用突起が外面側より進入可能な空隙を備えている上記（１）ないし（９）のいずれかに記載のガスケット押圧具。【０１１７】
（１１）  前記移動規制部材は、前記付勢体押圧用筒状部材を部分的に被包する筒状部と、前記筒状部の内面に前記係合用突起を有し、前記ガスケット押圧具は、前記付勢体押圧用筒状部材と前記移動規制部材間に配置され、かつ、一端部が前記付勢体押圧用筒状部材に固定され、他端部が前記移動規制部材に固定され、前記係合用突起と前記ガスケット押圧部材の前記押圧部材側係合部との係合状態を維持する環状付勢体とを備えることにより、前記ガスケット押圧部材は、前記係合状態保持機能を有するものとなっている上記（１）に記載のガスケット押圧具。
（１２）  前記ガスケット押圧具は、前記移動規制部材を前記付勢体押圧用筒状部材に対して、所定角度回転させたとき、前記係合用突起と前記押圧部材側係合部との係合が解除され、かつ、前記移動規制部材の回転操作解除により、前記環状付勢体により前記移動規制部材が逆回転し、前記係合用突起と前記押圧部材側係合部とが、再び係合するものとなっている上記（１１）に記載のガスケット押圧具。
（１３）  前記移動規制部材は、隣り合う前記押圧部材側係合部間に、前記係合用突起が周方向より進入可能な空隙を備えている上記（１１）または（１２）に記載のガスケット押圧具。
（１４）  前記係合用突起は、前記移動規制部材の回転操作により、隣り合う前記押圧部材側係合部間から周方向に離脱するものとなっている上記（１１）ないし（１３）のいずれかに記載のガスケット押圧具。【０１１８】
（１５）  前記移動規制部材は、前記付勢体押圧用筒状部材を部分的に被包する筒状部と、前記筒状部の内面に前記係合用突起を有し、前記ガスケット押圧具は、前記付勢体押圧用筒状部材と前記移動規制部材間に配置され、かつ、一端部が前記付勢体押圧用筒状部材に固定され、他端部が前記移動規制部材に固定され、前記係合用突起と前記ガスケット押圧部材の前記押圧部材側係合部との係合状態を維持する環状付勢体とを備えることにより、前記係合状態保持機能を有するものとなっており、さらに、
前記ガスケット押圧具は、前記付勢体押圧用筒状部材の後端部に、軸方向に移動可能に装着された筒状の操作部材を備え、前記操作部材は、先端側への押込操作時に、前記移動規制部材に当接し、前記移動規制部材を回転させるための回動用突出部と、前記操作部材内に収納され、先端が前記付勢体押圧用筒状部材の後端面に当接し、前記操作部材を後方に付勢する操作部材付勢体を備えている上記（１）に記載のガスケット押圧具。
（１６）  前記ガスケット押圧具は、前記操作部材の押込により、前記移動規制部材が回転したとき、前記移動規制部材の前記係合用突起と前記押圧部材側係合部との係合が解除され、前記操作部材の押込の解除により、前記環状付勢体により前記移動規制部材が逆回転し、前記移動規制部材の前記係合用突起と前記押圧部材側係合部が、再び係合するものとなっている上記（１５）に記載のガスケット押圧具。
（１７）  前記移動規制部材は、前記移動規制部材の外面に設けられ、前記係合用突起と前記押圧部材側係合部との係合が解除する回転方向かつ斜めに形成された被包部材側傾斜部を備え、前記回動用突出部は、押込操作時に、前記被包部材側傾斜部と摺接し、前記移動規制部材を回転させるための操作部材側傾斜部を備えている上記（１５）または（１６）に記載のガスケット押圧具。
（１８）  前記被包部材側傾斜部および前記操作部材側傾斜部は、それぞれ向かい合うように２つ設けられている上記（１７）に記載のガスケット押圧具。
（１９）  前記係合用突起は、前記操作部材の押込および前記移動規制部材の回転により、隣り合う前記押圧部材側係合部間から周方向に離脱するものとなっている上記（１５）ないし（１８）のいずれかに記載のガスケット押圧具。
（２０）  前記ガスケット押圧部材は、隣り合う前記押圧部材側係合部間に、前記係合用突起が周方向より進入可能な空隙を備えている上記（１５）ないし（１９）のいずれかに記載のガスケット押圧具。
（２１）  前記付勢体押圧用筒状部材は、後端内面より先端方向に突出し、前記押圧部材付勢体内に進入した棒状部を備えている上記（１）ないし（２０）のいずれかに記載のガスケット押圧具。【０１１９】
また、本発明の薬液投与具は、以下のものである。
（２２）  後端部にフランジを有する外筒と、前記外筒内に摺動可能に収納されたガスケットとを有するシリンジと、上記（１）ないし（２１）のいずれかに記載のガスケット押圧具とからなる薬液投与具。
（２３）  前記シリンジは、前記外筒内に充填された薬液と、外筒の先端封止部材とを備えるプレフィルドシリンジであり、前記薬液投与具は、前記プレフィルドシリンジに前記ガスケット押圧具が装着された状態となっている上記（２２）に記載の薬液投与具。
【図１】
2019188853.tif 000003
【図２】
2019188853.tif 000004
【図３】
2019188853.tif 000005
【図４】
2019188853.tif 000006
【図５】
2019188853.tif 000007
【図６】
2019188853.tif 000008
【図７】
2019188853.tif 000009
【図８】
2019188853.tif 000010
【図９】
2019188853.tif 000011
【図１０】
2019188853.tif 000012
【図１１】
2019188853.tif 000013
【図１２】
2019188853.tif 000014
【図１３】
2019188853.tif 000015
【図１４】
2019188853.tif 000016
【図１５】
2019188853.tif 000017
【図１６】
2019188853.tif 000018
【図１７】
2019188853.tif 000019
【図１８】
2019188853.tif 000020
【図１９】
2019188853.tif 000021
【図２０】
2019188853.tif 000022
【図２１】
2019188853.tif 000023
【図２２】
2019188853.tif 000024
【図２３】
2019188853.tif 000025
【図２４】
2019188853.tif 000026
【図２５】
2019188853.tif 000027
【図２６】
2019188853.tif 000028
【図２７】
2019188853.tif 000029
【図２８】
2019188853.tif 000030
【図２９】
2019188853.tif 000031
【図３０】
2019188853.tif 000032
【図３１】
2019188853.tif 000033
【図３２】
2019188853.tif 000034
【図３３】
2019188853.tif 000035
【図３４】
2019188853.tif 000036
【図３５】
2019188853.tif 000037
【図３６】
2019188853.tif 000038
【図３７】
2019188853.tif 000039
【図３８】
2019188853.tif 000040
【図３９】
2019188853.tif 000041
【図４０】
2019188853.tif 000042
【図４１】
2019188853.tif 000043
【図４２】
2019188853.tif 000044
【図４３】
2019188853.tif 000045
【図４４】
2019188853.tif 000046
【図４５】
2019188853.tif 000047
【図４６】
2019188853.tif 000048
【図４７】
2019188853.tif 000049
【図４８】
2019188853.tif 000050
【図４９】
2019188853.tif 000051
【図５０】
2019188853.tif 000052
【図５１】
2019188853.tif 000053
【図５２】
2019188853.tif 000054
【図５３】
2019188853.tif 000055
【図５４】
2019188853.tif 000056
【図５５】
2019188853.tif 000057
【国際調査報告】
2019188853.tif 000058
2019188853.tif 000059